(57)【要約】      （修正有）【課題】本体と別体の把持部を有した転写具をカートリッジ式にすると把持部を本体から外す必要が生じたり、把持部が邪魔になって詰替作業に手間が生じる点、及び分解・組立する必要が生じる点、を解消する。【解決手段】カートリッジ２及び本体３に、該カートリッジ２を装填した際に全体筐体を形成するケース部２Ａ，３Ａと、ケース部２Ａ，３Ａにおけるカートリッジ２の装填方向対向面に設けた位置合部２Ｑ，３Ｑと、を備え、カートリッジ２に塗膜を転写するための転写部６を、本体３にはケース部３Ａにカバー兼把持部３Ｚを、各々有する構成とした。カートリッジ２に対する本体３でありながら、カバー兼把持部３Ｚは不使用位置で転写部６を保護し、使用位置で取っ手として機能し、さらに中間位置では、位置合部２Ｑ，３Ｑのみを合わせるだけでカートリッジ２を本体３に対して装填できる。【選択図】  図５
2008188919.tif 000002
【特許請求の範囲】
【請求項１】
カートリッジと本体とを有し、該カートリッジを該本体に対し装填するカートリッジ式転写具において、前記カートリッジ及び前記本体の双方に、該カートリッジを該本体に装填した際に全体の筐体を形成するケース部と、このケース部における該カートリッジを該本体に装填する際の対向面に設けられた位置合部と、を備え、さらに、前記カートリッジには基材上に塗布された塗膜を転写するための転写部を、前記本体には前記ケース部の前記位置合部が設けられた側と反対の端部に形成されたカバー兼把持部を、各々有したことを特徴とするカートリッジ式転写具。
【請求項２】
ケース部にカバー兼把持部が転写部をカバーする位置と使用時に把持される位置でこの状態を維持すべく係合する係止部を設けたことを特徴とする請求項１記載のカートリッジ式転写具。
【請求項３】
位置合部において該位置合部が合致したときに係合する係合部を設けたことを特徴とする請求項１又は２記載のカートリッジ式転写具。
【請求項４】
本体に、送出軸と巻取軸の一方又は両方の駆動手段を備えたことを特徴とする請求項１〜３のいずれかに記載のカートリッジ式転写具。
【請求項５】
カバー兼把持部に、操作補助用の車輪を設けたことを特徴とする請求項１〜４のいずれかに記載のカートリッジ式転写具。
【発明の詳細な説明】
【技術分野】
【０００１】
本発明は、転写部を保護すると共に取っ手として機能するカバー兼把持部を備えていながらも、塗膜を塗布した基材などの消耗品を取り替える操作が容易なカートリッジ式転写具に関する。
【背景技術】
【０００２】
被転写体上の文字等を修正するために白色の修正塗膜を該被転写体に転写したり、被転写体と貼着体とを貼り合わせるために粘着塗膜を被転写体に転写する転写具が普及している。
【０００３】
この種の転写具の全体構成は、前記塗膜を塗布した基材を巻装した送出軸、及び被転写体に前記塗膜を転写した後の基材を巻き取る巻取軸、送出軸と巻取軸に基材の搬送動力を伝達する駆動手段を各々筐体に備え、さらに筐体から一部露出した状態で前記塗膜を転写するための転写部を備えている。
【０００４】
上記した転写具において、操作性を考慮して、少なくともそれのみでも使用可能な本体と、本体において転写部から移動して操作時に手に持つ部分として機能する把持部と、を構成とした、例えば以下の特許文献１〜３が存在する。
【０００５】
【特許文献１】特開平９−３００８８６号公報
【特許文献２】特開平１１−１７０７７５号公報
【特許文献３】特開２００６−５１６６３号公報
【０００６】
特許文献１〜３には、本体に軸が形成され、該軸を中心として回動自在な把持部を有する構成が開示されている。また、特許文献１〜３に開示されている把持部は、転写部を覆うように回動させたときには、該転写部を保護する部材として機能するほか、全体の小型化に寄与する構成とされている。
【発明の開示】
【発明が解決しようとする課題】
【０００７】
ところで、特許文献１〜３を含め、この種の転写具では塗膜は消耗部材であり、送出軸に巻装された（塗膜を塗布した）基材が巻取軸に巻き取られると使用が完了し、構成の全てを廃棄することになる。
【０００８】
近年では、廃棄部材を少なくするために、極端な構成では塗膜を塗布した基材を巻装した送出軸と、巻取軸を取り替えるべく購入し、既存の本体部分に購入した送出軸及び巻取軸を装填して継続的に使用する構成が提案されている。以下、消耗部材を詰め替える方式をカートリッジ式ということとする。そして、カートリッジ式の転写具は、上記の廃棄部材が少なくなる他、購入コストも抑えられるというメリットもある。
【０００９】
上記した特許文献１〜３に開示された転写具は、いずれも、把持部と本体側に形成された軸との枢支を外せば、該「把持部」に対して該「本体（つまり塗膜）」を詰め替える（以下、詰め替えるべき部材を総称して詰替部材という）ことは可能であるが、詰替部材が把持部を有しない転写具そのものなので、廃棄部材を少なくしていることにはならない。
【００１０】
そこで、特許文献１〜３における「本体」の構成をカートリッジ式にすることが考えられるが、特許文献１〜３における本体構成をカートリッジ式にするとしても、以下の不具合が生じる。
【００１１】
特許文献１〜３の構成は軸が本体（の筐体外面）に形成されているので、本体の筐体を開くために把持部を本体から外す必要が生じたり、外す必要がないとしても取り替え時に把持部が邪魔になったりするという不具合が生じる。
【００１２】
また、特許文献１〜３の構成は、もともと本体がカートリッジ式ではない構成であるから、詰替部材の取り替え時に「本体」を分解し、取り替え後に組み立て直す必要が生じるといった不具合が生じる。
【００１３】
本発明が解決しようとする問題点は、特許文献１〜３の構成をカートリッジ式にするとしても、把持部を本体から外す必要が生じたり、把持部が邪魔になって詰替作業に手間が生じる点、及びもともと本体がカートリッジ式ではないために本体を分解・組立する必要が生じて簡便に行えない点、を解消することにある。
【課題を解決するための手段】
【００１４】
本発明は、上記した問題を解決するために、カートリッジ及び本体の双方に、該カートリッジを該本体に装填した際に全体の筐体を形成するケース部と、このケース部における該カートリッジを該本体に装填する際の対向面に設けられた位置合部と、を備え、さらに、カートリッジには基材上に塗布された塗膜を転写するための転写部を、本体にはケース部の位置合部が設けられた側と反対の端部に形成されたカバー兼把持部を、各々有することとした。
【発明の効果】
【００１５】
上記構成の本発明のカートリッジ式転写具は、カートリッジと本体におけるたった１箇所の位置合部を一致させて、該カートリッジ及び本体のケース部が合致して筐体を形成すれば装填が完了する。
【００１６】
カートリッジ及び本体のケース部が合致して筐体を形成するとは、次の状態を意味する。カバー兼把持部が転写部を保護する位置に回動したとき、及びカバー兼把持部が転写部を露出させて取っ手として機能する位置に回動したとき、を含め、カートリッジを本体に装填したとき以降は、双方のケース部により本体とカートリッジの内部が露出せず、全体の強度が確保され、不要かつ余分な隙間が生じないよう、カートリッジ式転写具の全体外形を形成するということである。
【００１７】
本発明のカートリッジ式転写具は上記手法にて装填を行う構成であることから、まず、詰替部材を取り替える際において、本体に対するカートリッジの取り外し、取り付けを極めて簡便に行うことができる。
【００１８】
そして、本発明のカートリッジ式転写具は、本体のケース部にカバー兼把持部が形成されているから、上記取り替え時のカートリッジの取り外し、取り付けにおいて該カートリッジ（カバー兼把持部）が邪魔になることがなく、また、カバー兼把持部だけを別途に本体から取り外すといった余分な操作が不要となる。
【００１９】
さらに、上記したように取り替え時に邪魔になることがないカバー兼把持部は、取り替え後には、次のように利便性の高い機能を付加することができる。すなわち、カバー兼操作部を位置合部を中心に転写部側に回転させれば、該転写部を覆うカバーとして機能すると共に、全体を小型化できる。一方、カバー兼操作部を位置合部を中心に転写部から離間する方向に回転させれば、ユーザーが操作しやすくなる把持部として機能する。なお、カートリッジの装脱は、前記両回転位置の中間位置で行う。
【００２０】
以上のことから、本発明のカートリッジ式転写具は、操作用の取っ手と転写部を覆うカバーとを兼ねるカバー兼把持部を備えているから、転写部の保護と使用感の向上を図ることはもちろんのこと、カバー兼把持部を備えていながらも、これが詰替部材の取り替え時の邪魔になることがなく、むしろ操作性を向上させることができる。
【発明を実施するための最良の形態】
【００２１】
本発明のカートリッジ式転写具（以下、転写具と記す）は、図１〜図１３に示す以下の第１、第２形態により実施可能である。第１形態は、図１及び図２にカートリッジを、図３及び図４に本体を、図５及び図６にカートリッジを本体に装脱する際の状況を、図７及び図８に使用時（転写部を露出させた時）の状況を、図９及び図１０に不使用時（転写部を覆った時）の状況を、各々示す。第２形態は、図１１及び図１２に使用時の状況を、図１３に不使用時の状況を、各々示す。
【００２２】
以下に、第１形態及び第２形態における転写具１の概略構成について説明し、本発明の転写具１の詳細構成は第１形態において説明し、第２形態では該第１形態と異なる構成についてのみ説明することとする。
【００２３】
転写具１は、カートリッジ２と本体３とを有する。カートリッジ２及び本体３には、互いに合致して全体の筐体を構成するケース部２Ａ（カートリッジ２側）、ケース部３Ａ（本体３側）、本例では送出軸４を有する。
【００２４】
カートリッジ２には、送出軸４に塗膜Ｐを塗布した基材Ｂが巻装されており、また、塗膜Ｐを被転写体に転写した後の基材Ｂを巻き取る巻取軸５、送出軸４と巻取軸５との基材Ｂの搬送経路途中に設けられた転写部６を有する。一方、本体３には、送出軸４を有するが、ここに基材Ｂは巻装されておらず、代わりに後述するギヤ４Ｇが設けられている。
【００２５】
（第１形態）
図１及び図２において、カートリッジ２のケース部２Ａは、送出軸４と巻取軸５の軸方向と平行で、転写部６を設けた部位を除く外形縁部全域に形成された壁面２ａ、この壁面２ａと直交する面（以下、側面部という）２ｂ，２ｃで構成される。
【００２６】
なお、側面部２ｂは図１（ａ）に示す側であり、側面部２ｃは図２（ａ）に示す側であり、また、図１（ｂ）は同図（ａ）を平面視、図２（ｂ）は同図（ａ）を底面視、した図である。
【００２７】
側面部２ｂは、例えば本例では送出軸４を中心とした円形の開口２ｄが形成されており、この側面部２ｂ側を後述する本体３に装着する。また、側面部２ｂには、開口２ｄの近傍で図１（ａ）における右下位置、すなわち、後述する本体３の使用位置の回転最終端位置に、後述する本体３の側面部３ｂと係合する係合部２Ｂが形成されている。
【００２８】
係合部２Ｂは、上記のように、本体３のそれ以上の回転を阻止すると共に、該本体３が使用位置においてカートリッジ２から分離しないように、つまり図１（ａ）では手前−奥方向に両者が移動しないようにするものである。
【００２９】
そして、この係合部２Ｂと対向する側面部２ｂ、及び側面部２ｃにおける外表面の同位置には、係止凹部２Ｂａ，２Ｂｂが各々形成されている。係止凹部２Ｂａは、後述する本体３の係止凸部３Ｂａと係合して、使用位置にある本体３を不使用位置側へ不用意に回転しないようにするためのものであり、係止凹部２Ｂｂは、後述する本体３の係止凸部３Ｂｂと係合して、不使用位置にある本体３を使用位置側へ不用意に回転しないようにするためのものである。これら、係止凹部２Ｂａ，２Ｂｂ、係止凸部３Ｂａ，３Ｂｂにより本発明における係止部を構成している。
【００３０】
側面部２ｃの側面部２ｂと対向する面、つまり側面部２ｃの内面には、送出軸４、巻取軸５を枢支するそれぞれの枢支部４Ｐ，５Ｐが形成されている。枢支部４Ｐにより枢支された送出軸４の軸芯には、該枢支部４Ｐに枢支される軸芯の内周面から（塗膜Ｐを塗布した）基材Ｂの巻装面の裏面までが断面凹状とされた位置合部２Ｑが形成されている。なお図１（ａ）においては、便宜的に、枢支部４Ｐに塗り潰しのハッチングを、送出軸４に斜線ハッチングを付して位置合部２Ｑの関係を示している。
【００３１】
さらに、この位置合部２Ｑにおける、送出軸４の巻装面の裏周面には、後述する本体３の位置合部３Ｑの係合凹部３Ｃと係合し、軸芯方向に僅かに突出した係合凸部２Ｃが形成されている。つまり、この係合凸部２Ｃと係合凹部３Ｃとが係合することで、カートリッジ２と本体３との不用意な分離が防止される。これら係合凸部２Ｃと係合凹部３Ｃにより本発明の係合部を構成している。
【００３２】
枢支部５Ｐに枢支された巻取軸５の軸芯には駆動用のギヤ５Ｇが枢支されており、基材Ｂは、このギヤ５Ｇの軸芯外周面上に巻装される。なお、図１（ａ）において、便宜上、枢支部５Ｐに塗り潰しのハッチングを付している。
【００３３】
図３及び図４において不使用時の状態を示す本体３のケース部３Ａは、図３（ａ）の左端に形成され、後述する枢支部３Ｐと平行な壁面３ａと、図３（ａ）の下面に形成され、枢支部３Ｐと平行な壁面３ｄと、枢支部３Ｐと直交状の側面部３ｂ，３ｃで構成される。
【００３４】
なお、側面部３ｂは図３（ａ）に示す側であり、側面部３ｃは図４（ａ）に示す側であり、また、図３（ｂ）は同図（ａ）を平面視、図４（ｂ）は同図（ａ）を底面視、した図である。
【００３５】
側面部３ｂは、その外面が、使用位置に回転した際に、係合部２Ｂと係合する。また、側面部３ｃは、図４（ａ）に示すように、カートリッジ２の側面部２ｂにおける開口２ｄに嵌る段部３ｅを避けて、かつ後述する中間位置においてカートリッジ２の外形を避けるように、壁面３ａとは反対の端面が形成されている。
【００３６】
そして、図４（ａ）で側面部３ｃには、本体３が使用位置に回転したときに、カートリッジ２の側面部２ｃと係合する係合面３ｆが形成されている。係合面３ｆは、本体３を中間位置に回転させたときに側面部２ｃとの係合が解除されるように、カートリッジ２のケース部２Ａの形状に合わせて形成されている。
【００３７】
さらに、壁面３ｄの端面には、使用位置にあるとき、カートリッジ２の壁面２ａ（図１（ａ）の下面）と当接してそれ以上の回転を阻止する係合部３Ｂが形成されている。また、係合面３ｆの内面側となる側面部３ｃと側面部３ｂの内面側の対向する同位置には、上記カートリッジ２の係止凹部２Ｂａ，２Ｂｂと係合する係止凸部３Ｂａ，３Ｂｂが形成されている。
【００３８】
なお、カートリッジ２の側面部２ｂ，２ｃの外面、本体３の側面部３ｂ，３ｃの内面、において、不使用位置のときに使用位置に存在せず、使用位置のときに不使用位置に存在せず、かつ中間位置のときには不使用及び使用位置に存在しない、という条件を満たせば、１箇所の係止凹部２Ｂａ係止凸部３Ｂａとしても構わない。
【００３９】
本体３には、上記、壁面３ａ、側面部３ｂ、側面部３ｃ、壁面３ｄにより、カバー兼把持部３Ｚが構成されている。このカバー兼把持部３Ｚは、本体３が、図７及び図８に示す使用位置にあるとき、側面部３ｂ、側面部３ｃ、壁面３ｄが取っ手として機能し、図９及び図１０に示す不使用位置にあるとき、壁面３ａ、側面部３ｂ、側面部３ｃ、壁面３ｄにより転写部６及びカートリッジ２の図１に示す上面を除く４面を保護するカバーとして機能する。
【００４０】
側面部３ｂの裏面側（図３（ａ）に示される側と反対面）には、段部３ｅ上（図４（ａ）で示す紙面手前）に、調整用の段部として機能すると共に送出軸４のギヤ４Ｇの枢支部３Ｐが形成されている。ギヤ４Ｇの軸芯及びその面上（図４（ａ）で示す紙面手前）には、位置合部３Ｑが一体的に形成されている。
【００４１】
位置合部３Ｑは、全体としては凸状であり、カートリッジ２の位置合部２Ｑに嵌合する。なお、図４（ａ）においては、位置合部３Ｑの軸芯部分の塗り潰しのハッチングは、その部分に、カートリッジ２の位置合部２Ｑの軸芯部分（枢支部２Ｐ）が挿入される凹部であることを意味する。
【００４２】
位置合部３Ｑは、その外周面に、上記カートリッジ２の位置合部２Ｑに形成された係合凸部２Ｃと係合する係合凹部３Ｃが形成されている。これら係合凸部２Ｃと係合凹部３Ｃが、カートリッジ２を本体３に装着した時には常に係合しているから、装填方向（位置合部２Ｑ，３Ｑの軸方向）に不用意に該カートリッジ２と該本体３とが外れることが防止される。
【００４３】
ここで、カートリッジ２の位置合部２Ｑ、本体３の位置合部３Ｑ周辺のさらに詳細な構成について説明する。位置合部２Ｑ，３Ｑは、図示しないが、一方、例えば位置合部３Ｑには外周面に軸と平行で外形径方向に突出した突部が、他方、例えば位置合部２Ｑには内周面に軸と平行で外径方向に僅かに溝部が、各々形成されている。
【００４４】
すなわち、位置合部２Ｑ，３Ｑは、回転方向には互いに係合し、軸方向には装脱可能とされている。前記突部と溝部は、これらの位置合わせを行うことで位置合部２Ｑと位置合部３Ｑの容易な嵌合を妨げてしまうことがないよう、ごく僅かな寸法とされる。
【００４５】
また、位置合部２Ｑは、図示しないが、その凹状の開口周端面に外径方向に上り勾配とされたテーパを形成している。このようにすることで、凸状の位置合部３Ｑと凹状の位置合部２Ｑとは嵌合しやすくなり、ひいてはカートリッジ２の装填がより簡便となる。
【００４６】
さらに、位置合部２Ｑ，３Ｑは、カートリッジ２を本体３に装着したうえで、本体３を転写具１の使用位置と不使用位置との間で本体３を回転させても、送出軸４やギヤ４Ｇが不用意に回転することがない。この理由を以下に説明する。
【００４７】
送出軸４（及びギヤ４Ｇ）は、転写部６を被転写体に押しつけて該転写部６の位置する側とは反対側に引っ張る操作（以下、走行という）を行うことで、塗膜Ｐと被転写体との摩擦により基材Ｂが送り出され、このとき、送出軸４が回転し、ギヤ４Ｇ，５Ｇが噛合した巻取軸５が回転し、基材Ｂが巻き取られる。
【００４８】
カートリッジ２を本体３に装着し、位置合部２Ｑ，３Ｑが嵌合したときにはギヤ４Ｇ，５Ｇが噛合しているが、上記のとおり送出軸４は走行により回転するから、未だ走行状態にないギヤ４Ｇ，５Ｇは一方が他方を駆動するように回転せず、ギヤ４Ｇ，５Ｇは一体的に（互いに回転しないで）位置合部２Ｑ，３Ｑの周りを回転するだけなので、使用位置と不使用位置との間で本体３を回転させても基材Ｂの送出や巻取は行われないのである。
【００４９】
また、本体３のギヤ４Ｇ、カートリッジ２のギヤ５Ｇの歯においても、装着を容易とする構成を採用している。ギヤ４Ｇ，５Ｇの装填方向対向面に、例えばギヤ４Ｇには下り勾配の傾斜、ギヤ５Ｇには上り勾配の傾斜を形成していることが望ましい。つまり、ギヤ４Ｇ、ギヤ５Ｇの互いの歯は、装填方向に当接したときに互いに逃げるような傾斜を形成しておくことが望ましい。
【００５０】
このようにすれば、カートリッジ２の装填時に、ギヤ４Ｇ、ギヤ５Ｇが噛み合わずに手間取るということがなくなり、位置合部２Ｑと位置合部３Ｑとを嵌合するだけで容易にギヤ４ａ，５ａを噛合させることができる。
【００５１】
上記構成の転写具１は、以下のようにして、カートリッジ２の装填及び取替の作業、使用及び不使用の操作、が行われる。本例では、図１に示す状態のカートリッジ２を基準として以下説明する。
【００５２】
まず、カートリッジ２を本体３に装填するには、図１に示す状態のカートリッジ２に、図３に示す状態の本体３を、図５及び図６に示す中間位置において、位置合部２Ｑ，３Ｑを嵌合させることで行う。なお、図５（ａ）は中間位置においてカートリッジ２の側面部２ｂ、本体３の側面部３ｂ側から見た状態を、同図（ｂ）は、そのときの転写具１を平面視した状態を、図６（ａ）は中間位置においてカートリッジ２の側面部２ｃ、本体３の側面部３ｃ側から見た状態を、同図（ｂ）は、そのときの転写具１の底面視した状態を、各々示す。
【００５３】
中間位置とは、図７及び図８に示す使用位置と図９及び図１０に示す不使用位置の間の位置であって、中間位置においては、図６（ａ）に示すように、本体３の側面部３ｃに形成された係合面３ｆは、カートリッジ２の側面部２ｃと係合していない。
【００５４】
また、図５（ａ）に示すように、本体３の側面部３ｂは、カートリッジ２の係合部２Ｂと係合していない。さらに、係止凹部２Ｂａ，２Ｂｂと係止凸部３Ｂａ，３Ｂｂが係合していない。つまり、この中間位置は、使用と不使用状態との間で、双方のケース部２Ａ，３Ａの関わりが外れて（ただし筐体としては機能している）、カートリッジ２と本体３とを送出軸４の軸方向に移動させて装脱が可能となる。
【００５５】
この中間位置から、使用方向に本体３が回転すると、係合面３ｆが側面部２ｃと、側面部３ｂが係合部２Ｂと係合して、不使用方向に本体３が回転すると、側面部３ｃが側面部２ｃと、側面部３ｂが側面部２ｂと係合して、カートリッジ２と本体３とを送出軸４の軸方向に装脱移動させることができない。
【００５６】
また、中間位置において位置合部２Ｑと位置合部３Ｑとを嵌合させることで、位置合部２Ｑの係合凸部２Ｃと、位置合部３Ｑの係合凹部３Ｃとが係合するから、使用状態と不使用状態との間の回転途中で該中間位置を通過する際に、本体３とカートリッジ２とが不用意に分離してしまうことがない。また、偶然に、中間位置に本体３が位置している状態で、側面部２ｂ，３ｂが下方に向いているときは本体３が、又は側面部２ｃ，３ｂが下方に向いているときはカートリッジ２が、他方から脱落することがない。
【００５７】
さらに、中間位置において、位置合部２Ｑと位置合部３Ｑとが嵌合したとき、ギヤ４Ｇとギヤ５Ｇとが噛合する。これにて、カートリッジ２を本体３に装填する作業が完了し、カートリッジ２のケース部２Ａと本体３のケース部３Ａとにより、該本体３と該カートリッジ２の内部が露出せず、全体の強度が確保され、不要かつ余分な隙間が生じない転写具１の筐体が形成されたこととなる。
【００５８】
なお、使用が完了したカートリッジ２を本体３から取り外すときは、上記の逆で、中間位置において、係合凸部２Ｃと係合凹部３Ｃとの係合が外れるように、カートリッジ２と本体３とを軸方向に相反方向に移動させる。
【００５９】
装填が完了した後、例えばただちに使用する場合、中間位置から図７及び図８に示す使用位置へと本体３を回転させる。この使用位置への回転は、本体３の側面部３ｂの端面がカートリッジ２の係合部２Ｂに係合し、及び本体３の壁面３ｄにおける係合部３Ｂが、カートリッジ２の図１に示す下面の壁面２ａに当接することで行われる。使用位置に本体３が回転すると、上記のとおり、カートリッジ２と本体３とは装脱不可能になる。
【００６０】
また、使用位置に本体３が回転すると、カートリッジ２の側面部２ｂ，２ｃにおける係止凹部２Ｂａと、本体３の側面部３ｂ，３ｃにおける係止凸部３Ｂａとが係合する。この結果、（係合部２Ｂ，３Ｂによる）使用位置方向へのそれ以上の本体３の回転のみならず、不用意に不使用位置へと本体３が回転することも阻止される。
【００６１】
中間位置のときは、転写部６が露出され、かつカバー兼把持部３Ｚが取っ手として機能することとなる。この結果、使用者は、カバー兼把持部３を手で把持して転写具１を走行させることができるようになり、どこをどう把持するかが明確となり、また、把持しやすいので使い勝手が向上する。
【００６２】
転写具１の走行時には、転写部６と被転写体との摩擦により送出軸４から（塗膜Ｐを塗布した）基材Ｂが送り出され、このとき該送出軸４と共にギヤ４Ｇが回転し、このギヤ４Ｇの回転に伴ってギヤ５Ｇが回転して、転写部６を通過した基材Ｂが巻取軸５に巻き取られる。つまり、転写具１は、使用−中間−不使用位置の間における本体３の回転によっては基材Ｂが送り出されたり巻き取られたりすることがない。
【００６３】
装填が完了した後、又は使用位置において使用した後、例えば図９及び図１０に示すように本体３を不使用位置へと回転させると、転写部６が、本体３の壁面３ａ、側面部３ｂ、側面部３ｃにより覆われることとなり、カバー兼把持部３Ｚが該転写部６を保護するカバーとして機能すると共に、これにより全体を小型化できる。
【００６４】
また、不使用位置のときには、カートリッジ２の側面部２ｂ，２ｃにおける係止凹部２Ｂｂと、本体３の側面部３ｂ，３ｃにおける係止凸部３Ｂｂとが係合して、不用意に使用位置へと本体３が移動しないようにロックされる。
【００６５】
そして、不使用位置においてカバー兼把持部３Ｚは、転写部６近傍の未だ被転写体に転写されていない若干の塗膜Ｐを、つまり図１（ａ）に示す状態ではカートリッジ２の転写部６における下側を、該カバー兼把持部３Ｚにおける壁面３ｄで覆うから、露出している塗膜Ｐに埃などが付着することも防止できる。
【００６６】
（第２形態）
図１１〜図１３に示す第２形態は、カバー兼把持部３Ｚにおいて、使用位置から不使用位置に向けての回転方向の先端部（不使用位置から使用位置に向けての回転方向の後端部）で、側面部３ｂ，３ｃの両面から外径がはみ出すように、車輪７，７を設けた構成である。
【００６７】
当然、この車輪７は、使用−中間−不使用の各位置における各操作の邪魔になることがなく、また、特に使用時には、この車輪７を被転写体に載置してカバー兼把持部３Ｚを把持して走行させれば、一層使い勝手が向上する。
【００６８】
なお、上記した第１及び第２形態においては、本体３に送出軸４のギヤ４Ｇを、カートリッジ２に巻取軸５のギヤ５Ｇを有していたが、本体３にギヤ５Ｇをも有する構成としても構わない。このとき、本体３のケース部３Ａ、カートリッジ２のケース部３Ａ（特に開口２ｄ）の形状は、装填時以降、筐体を形成するように適宜変更すればよい。
【００６９】
さらに、上記においては、転写具１の転写部６は、いわゆる舌状タイプのものを採用したが、これに代えてローラタイプのものであっても構わない。また、塗膜Ｐは特に説明しなかったが、白色の修正用、粘着質で両面接着用、のいずれを採用しても構わない。
【図面の簡単な説明】
【００７０】
【図１】本発明のカートリッジ式転写具の第１形態におけるカートリッジを示し、（ａ）は一方側面方向から見た図、（ｂ）は平面方向から見た図、である。
【図２】本発明のカートリッジ式転写具の第１形態におけるカートリッジを示し、（ａ）は他方側面方向から見た図、（ｂ）は底面方向から見た図、である。
【図３】本発明のカートリッジ式転写具の第１形態における本体を示し、（ａ）は一方側面方向から見た図、（ｂ）は平面方向から見た図、である。
【図４】本発明のカートリッジ式転写具の第１形態における本体を示し、（ａ）は他方側面方向から見た図、（ｂ）は底面方向から見た図、である。
【図５】本発明のカートリッジ式転写具の第１形態における中間位置での装填状況を示し、（ａ）は一方側面方向から見た図、（ｂ）は平面方向から見た図、である。
【図６】本発明のカートリッジ式転写具の第１形態における中間位置での装填状況を示し、（ａ）は他方側面方向から見た図、（ｂ）は底面方向から見た図、である。
【図７】本発明のカートリッジ式転写具の第１形態における使用位置での状況を示し、（ａ）は一方側面方向から見た図、（ｂ）は平面方向から見た図、である。
【図８】本発明のカートリッジ式転写具の第１形態における使用位置での状況を示し、（ａ）は他方側面方向から見た図、（ｂ）は底面方向から見た図、である。
【図９】本発明のカートリッジ式転写具の第１形態における不使用位置での状況を示し、（ａ）９は一方側面方向から見た図、（ｂ）は平面方向から見た図、（ｃ）は正面方向から見た図、である。
【図１０】本発明のカートリッジ式転写具の第１形態における不使用位置での状況を示し、（ａ）は他方側面方向から見た図、（ｂ）は底面方向から見た図、である。
【図１１】本発明のカートリッジ式転写具の第２形態における使用位置での状況を示し、（ａ）は一方側面方向から見た図、（ｂ）は正面方向から見た図、である。
【図１２】本発明のカートリッジ式転写具の第２形態における使用状況を示す、一方側面方向から見た図である。
【図１３】本発明のカートリッジ式転写具の第２形態における不使用位置での状況を示し、（ａ）は他方側面方向から見た図、（ｂ）は正面方向から見た図、である。
【符号の説明】
【００７１】
１  （カートリッジ式）転写具
２  カートリッジ
２Ａ  ケース部
２Ｂ  係合部
２Ｂａ，２Ｂｂ  係止凹部
２Ｃ  係合凸部
２Ｑ  位置合部
３  本体
３Ａ  ケース部
３Ｂ  係合部
３Ｂａ，３Ｂｂ  係止凸部
３Ｃ  係合凹部
３Ｑ  位置合部
３Ｚ  カバー兼把持部
４  送出軸
４Ｇ  ギヤ
５  巻取軸
５Ｇ  ギヤ
６  転写部
【図１】
2008188919.tif 000003
【図２】
2008188919.tif 000004
【図３】
2008188919.tif 000005
【図４】
2008188919.tif 000006
【図５】
2008188919.tif 000007
【図６】
2008188919.tif 000008
【図７】
2008188919.tif 000009
【図８】
2008188919.tif 000010
【図９】
2008188919.tif 000011
【図１０】
2008188919.tif 000012
【図１１】
2008188919.tif 000013
【図１２】
2008188919.tif 000014
【図１３】
2008188919.tif 000015